(57)【要約】【課題】  ＩＰ電話上でＦＡＸなどのデータ通信を実施している場合に、音声データの欠落時に無音音声により補填をなすことにより、ＦＡＸ通信におけるシーケンス上のエラー発生をなくして異常終了をなくすようにしたＩＰ電話装置におけるデータ補填方法を得る。【解決手段】  ＩＰ通信網であるブロードバンドインターネット１に接続されたＩＰ電話装置２００において、通話開始時に、音声種別判定制御部２６０で、音声情報により音声通話の種類（音声通話やＦＡＸ通信）を認識しておき、ＦＡＸ通信などのデータ通信において、音声パケットがネットワーク上で消失（ロス）した場合には、パケットロスの部分を無音音声により補填する。【選択図】      図２
2007336114.tif 000002
【特許請求の範囲】
【請求項１】
ファクシミリ装置とＩＰ通信網との間におけるデータの授受をなすＩＰ電話装置であって、前記データの欠落を無音音声により補填する補填手段を含むことを徴とするＩＰ電話装置。
【請求項２】
音声通信かデータ通信かを検出する検出手段を更に含み、前記補填手段は、前記検出手段によりリデータ通信であることが検出された場合に、前記データの欠落を無音音声により補填することを特徴とする請求項１記載のＩＰ電話装置。
【請求項３】
前記ファクシミリ装置に代えて、アナログデータモデム装置を用いたことを特徴とする請求項１または２記載のＩＰ電話装置。
【請求項４】
ファクシミリ装置とＩＰ通信網との間におけるデータの授受をなすＩＰ電話装置におけるデータ補填方法であって、前記データの欠落を無音音声により補填する補填ステップを含むことを徴とするデータ補填方法。
【請求項５】
音声通信かデータ通信かを検出する検出ステップを更に含み、前記補填ステップは、前記検出ステップによりデータ通信であることが検出された場合に、前記データの欠落を無音音声により補填することを特徴とする請求項４記載のデータ補填方法。
【請求項６】
前記ファクシミリ装置に代えて、アナログデータモデム装置を用いたことを特徴とする請求項４または５記載のデータ補填方法。
【請求項７】
ファクシミリ装置とＩＰ通信網との間におけるデータの授受をなすＩＰ電話装置におけるデータ補填方法をコンピュータに実行させるためのプログラムであって、前記データの欠落を無音音声により補填する処理を含むことを徴とするプログラム。
【請求項８】
前記ファクシミリ装置に代えて、アナログデータモデム装置を用いたことを特徴とする請求項７記載のプログラム。
【発明の詳細な説明】
【技術分野】
【０００１】
本発明はＩＰ（Internet Protocol ）電話装置及びそのデータ補填方法並びにプログラムに関し、特にＩＰパケットロス時におけるデータ補填方式に関するものである。
【背景技術】
【０００２】
インターネットを介したＩＰ電話の普及は拡がりを見せており、これに伴いインターネットを介したＩＰ電話上でＦＡＸ（ファクシミリ）通信を行うという要望も大きくなっている。インターネット等のＩＰネットワークを介したＦＡＸ通信については、ＩＴＵ−Ｔ勧告Ｔ．３７（Procedures for the transfer of facsimile data via store-and-forward on the Internet ）やＴ．３８（Procedures for real-time Group 3 facsimile communication over IP networks ）にて勧告されているが、これら勧告を実装したＩＰ電話装置は開発工数や開発コスト等々の問題から多くは存在しない状況である。
【０００３】
インターネット等のＩＰネットワークを介してＦＡＸ通信を行うのに一番簡単な方法は、ＦＡＸ通信も通常のＩＰ電話による通話と同様に、いわゆる「みなし音声」でデータ送受信を行うことで実施することであるが、これにはいくつかの問題点が挙げられる。例えば、音声遅延の問題である。インターネット等のＩＰネットワークにおいては、データの通過経路や処理遅延によって、本来あるべきタイミングに音声を伝えることができなくなってしまうことがあり、この遅延がＦＡＸ等のデータ端末に悪影響を及ぼすことである。
【０００４】
また、例えば、インターネット等のＩＰネットワークを介することにより、本来あるべき音声が消失してしまう場合もある。いわゆる「みなし音声」でインターネットを介したＦＡＸ通信で問題となるのが、この音声消失である。ＩＰ電話にて通常の音声通話を行う場合を考えてみる。ＩＰ電話による音声通話中にインターネット等で音声が消失してしまうと、一般的なＩＰ電話装置では、消失してしまった音声を通話に違和感がないように補填する。
【０００５】
この方法は、装置の実装に依存するが一般的なのは、ＩＴＵ−Ｔ勧告Ｇ．７１１（Pulse code modulation (PCM) of voice frequencies）に記載されたＰＬＣ（Packet Loss Concealment)（直前に再生した音声データを一定量減衰させて消失した音声データの代わりに再生する）であったり、単純に直前に再生した音声データを再度再生したりする方法である（特許文献１参照）。
【０００６】
【特許文献１】特開２００４−２６６３７８号公報
【特許文献２】特開２００３−２１８９３２号公報
【発明の開示】
【発明が解決しようとする課題】
【０００７】
上述した音声補填を使用することにより、ＩＰ電話装置で通常音声通話を行う場合の音声消失による通話の違和感を軽減することが可能である。ところが、「みなし音声」によるＦＡＸ通信を行った場合には、音声データ消失によるこれらのパケット補填処理はかえって悪影響を及ぼす可能性がある。もともと、ＦＡＸ等のデータ通信機器は、アナログ回線等の回線交換式の通信での利用を想定しているために、同一データを再度受信することを想定していないので、一度受信した音声データを再度受信すると、シーケンスエラー等の通信異常終了を引き起こす可能性がある。
【０００８】
なお、特許文献２には、ＰＣＭ音声受信装置において、受信時のエラー隠蔽をなすために、無音信号に相当するＰＣＭ信号で代用して補填パケットを作成する技術が開示されているが、ＩＰ電話装置を用いてＦＡＸによるデータ通信をなす場合の技術を開示したものではない。
【０００９】
本発明の目的は、ＩＰ電話上でＦＡＸなどのデータ通信を実施している場合に、音声データの欠落時に無音音声により補填をなすことにより、ＦＡＸ通信におけるシーケンス上のエラー発生をなくして異常終了をなくすようにしたＩＰ電話装置及びそのデータ補填方法並びにプログラムを提供することである。
【課題を解決するための手段】
【００１０】
本発明によるＩＰ電話装置は、ファクシミリ装置とＩＰ通信網との間におけるデータの授受をなすＩＰ電話装置であって、前記データの欠落を無音音声により補填する補填手段を含むことを徴とする。
【００１１】
本発明によるデータ補填方法は、ファクシミリ装置とＩＰ通信網との間におけるデータの授受をなすＩＰ電話装置におけるデータ補填方法であって、前記データの欠落を無音音声により補填する補填ステップを含むことを徴とする。
【００１２】
本発明によるプログラムは、ファクシミリ装置とＩＰ通信網との間におけるデータの授受をなすＩＰ電話装置におけるデータ補填方法をコンピュータに実行させるためのプログラムであって、前記データの欠落を無音音声により補填する処理を含むことを徴とする。
【００１３】
本発明の作用を述べる。ＩＰ通信網であるブロードバンドインターネットに接続されたＩＰ電話装置において、通話開始時に、音声情報により音声通話の種類（音声通話やＦＡＸ通信）を認識しておき、ＦＡＸ通信などのデータ通信において、音声パケットがネットワーク上で消失（ロス）した場合には、パケットロスの部分を無音音声により補填するようにしている。
【発明の効果】
【００１４】
本発明によれば、ＩＰ電話上でＦＡＸ等のデータ通信を実施している時に音声データの欠落があった場合には、無音音声を補填するようにしたので、ＦＡＸ通信におけるシーケンス上のエラーは発生せず異常終了することがないという効果がある。
【００１５】
また、本発明によれば、ＦＡＸ等のデータ通信も通常の音声通話と同様に「みなし音声」による通信を行うので、ＩＴＵ−Ｔ勧告Ｔ．３７（Procedures for the transfer of facsimile data via store-and-forward on the Internet ）やＴ．３８（Procedures for real-time Group 3 facsimile communication over IP networks ）を実装する必要がなく、コスト面で有利なＩＰ電話装置の開発が可能になるという効果がある。
【００１６】
更に、本発明によれば、音声データ欠落時の音声補填処理は、ＩＰ電話装置単体で判断して実施するので、相手端末に依存せずに実装が可能であるという効果がある。
【発明を実施するための最良の形態】
【００１７】
以下に図面を参照しつつ本発明の実施例について詳述する。図１は本発明が適用される概略システム図である。図１において、インターネット１に接続されたＩＰ電話装置１００は、その配下にＦＡＸ装置１０を接続しており、同様にインターネット１に接続されたＩＰ電話装置２００は、その配下にＦＡＸ装置２０を接続している。
【００１８】
ＦＡＸ装置１０がＦＡＸ装置２０に対してＦＡＸ送信するために発信すると、ＩＰ電話装置１００とＩＰ電話装置２００とがインターネット１を介して呼接続され、その結果、ＦＡＸ装置１０とＦＡＸ装置２０とが通信状態となる。ＦＡＸ装置１０とＦＡＸ装置２０との双方の音声データは、ＩＰ電話装置１００及びＩＰ電話装置２００によりそれぞれＩＰパケット化されて、インターネット１を経由して流れることになる。
【００１９】
ＩＰ電話装置１００及びＩＰ電話装置２００は、各々が受信したＩＰパケットをアナログ変換し、それぞれに接続されているＦＡＸ装置１０及びＦＡＸ装置２０に送信することにより、ＦＡＸ通信が成り立っている。加えて、ＩＰ電話装置１００及びＩＰ電話装置２００は、各々が送受信する音声データを監視し、ＦＡＸ通信等のデータ通信にて取り交わされる２１００Ｈｚのトーン信号を、一定時間検出することにより、ＦＡＸ通信等のデータ通信が行われていることを認識しておく。
【００２０】
ＦＡＸ装置１０が送信した音声データがインターネット１上で何らかの要因により消失した場合、ＩＰ電話装置２００はパケット消失を認識し、パケット消失して欠落した音声データの代わりに、無音音声データをＦＡＸ装置２０に送信する。無音音声データを受信したＦＡＸ装置２０はＦＡＸ通信と関わりのない無音音声データを受信するが、無関係のデータとして扱うこととなる。仮に、ＦＡＸ装置２０にとって、消失してしまった音声データが重大なデータであった場合には、再送手順によりＦＡＸ装置１０に再送を依頼することにより、消失してしまった音声データを再受信することもできる。
【００２１】
図２を参照すると、図１に示したＩＰ電話装置２００の実施例の機能ブロック図が示されている。図２において、ＩＰ電話装置２００は、一般的なＦＡＸ装置２０をアナログ電話ケーブル２１で接続するためのアナログ電話接続口２０１と、インターネット１にインターネット接続ケーブル１１で接続するためのインターネット接続口２０２とを有している。
【００２２】
尚、インターネット接続口２０２は、インターネットへ接続するための手段に応じて、構成が変化するものである。例えば、接続手段がＡＤＳＬであればＡＤＳＬ接続口であり、ＦＴＴＨであればＦＴＴＨ接続口であり、ＣＡＴＶであればＣＡＴＶ接続口となる。加えて、ＩＰ電話装置２００は、パーソナルコンピュータ（ＰＣ）３０をＰＣケーブル３１で接続するためのＰＣ接続口２０３を有している。ＰＣ接続口２０３は、一般的には、Ｅｔｈｅｒｎｅｔ（登録商標）、ＲＳ２３２Ｃ等のインタフェースが挙げられる。
【００２３】
ＩＰ電話装置２００の内部構成としては、ＰＣ３０やＦＡＸ装置２０からの設定を受け付けたり、設定状態を確認したりするＩＰ電話設定制御部２１０と、ＩＰ電話の発着信等の呼制御を司るＩＰ電話呼制御部２２０と、インターネット１を介してインターネット接続口２０２から音声ＩＰパケットの送受信制御を司るデジタル音声送受信制御部２３０と、ＦＡＸ装置２０とのアナログデータの送受信をアナログ電話接続口２０１から行うためのアナログ音声送受信制御部２４０と、デジタル音声送受信制御部２３０からデジタル化した音声データを受け取りアナログ変換してアナログ音声送受信制御部２４０に渡したり、アナログ音声送受信制御部２４０からアナログ音声データを受け取りデジタル変換してデジタル音声送受信制御部２３０に渡すＡＤ／ＤＡ変換制御部２５０と、アナログ音声送受信制御部２４０の音声データを監視し通常の音声通話かＦＡＸ等のデータ通信かを判断して、補填する音声データを決定する音声種別判定制御部２６０とを含む。
【００２４】
図２の各部について更に詳細に説明する。アナログ電話接続口２０１は、アナログ公衆網やＩＳＤＮターミナルアダプタで使用される一般的なアナログ電話機やＦＡＸ装置を接続するためのインタフェースであり、ＦＡＸ装置２０との接続には、一般的なアナログ電話機やＦＡＸ装置の接続に使用されるアナログ電話ケーブル２１を経由してＦＡＸ装置２０と接続する。
【００２５】
インターネット接続口２０２は、インターネット１と接続するための接続口であり、Ｅｔｈｅｒｎｅｔ（登録商標）インタフェースが一般的となる。インターネット１との接続手段がＡＤＳＬであれば、ＡＤＳＬモデムと接続するための接続口となり、ＦＴＴＨであれば光メディアコンバータと接続するための接続口となり、ＣＡＴＶインターネットであればＣＡＴＶモデムと接続するための接続口となる。
【００２６】
ＩＰ電話装置２００がＡＤＳＬモデム機能を内蔵すれば、インターネット接続口２０２は、ＡＤＳＬを直接接続するために、アナログ公衆網と接続するためのアナログ電話インタフェースとなる。ＩＰ電話装置２００が光メディアコンバータ機能を内蔵すれば、インターネット接続口２０２は、ＦＴＴＨを直接接続するためにＦＴＴＨ回線と接続するための光回線接続インタフェースとなる。ＩＰ電話装置２００がＣＡＴＶモデム機能を内蔵すれば、インターネット接続口２０２は、ＣＡＴＶを直接接続するためにＣＡＴＶ回線と接続するためのＣＡＴＶ回線接続インタフェースとなる。
【００２７】
インターネット接続ケーブル１１は前述したとおり、インターネット接続口２０２の形状により変わる。Ｅｔｈｅｒｎｅｔ（登録商標）インタフェースであればＥｔｈｅｒｎｅｔ（登録商標）ケーブルとなり、ＡＤＳＬインタフェースであればアナログ電話ケーブルとなり、ＦＴＴＨインタフェースであれば光回線ケーブルとなり、ＣＡＴＶインタフェースであればＣＡＴＶケーブルとなる。
【００２８】
ＰＣ接続口２０３は、ＰＣ３０とＩＰ電話装置２００とを繋ぐための接続口であり、接続することにより、ＰＣ３０からＩＰ電話装置２００の設定を行ったり確認したりすることができるようになる。ＰＣ３０からは、例えば、インターネットブラウザーアプリケーションやターミナル制御アプリケーション等で設定することができ、また設定状態を確認することができる。
【００２９】
ＰＣ接続口２０３は、ＩＰ電話装置２００とＰＣ３０との接続手段によりその機能が異なる。Ｅｔｈｅｒｎｅｔ（登録商標）接続であればＥｔｈｅｒｎｅｔ（登録商標）接続口となり、シリアル接続であればＲＳ２３２接続口となる。同様に、ＰＣケーブル３１はＰＣ接続口２０３の形状により異なる。Ｅｔｈｅｒｎｅｔ（登録商標）接続であればＥｔｈｅｒｎｅｔ（登録商標）ケーブルとなり、ＲＳ２３２接続であればＲＳ２３２ケーブルとなる。
【００３０】
ＩＰ電話設定制御部２１０は、ＦＡＸ装置２０やパソコン３０からの設定要求を受け付けてＩＰ電話やインターネット等に関する設定を行ったり、解除したり、設定確認要求を受け付けて現在の設定を通知する。また、設定内容を保持することも行う。
【００３１】
ＩＰ電話呼制御部２２０は、ＩＰ電話を行うための呼制御を司る部分であり、インターネット１から来るIP電話着信パケットの内容を解析したり、そのレスポンスを返したり、インターネット１へＩＰ電話発信するためのパケットを生成し送信したり、といったことを一手に担う。ＩＰ電話呼制御部２２０が制御するＩＰ電話を行うためのプロトコルは、例えば、ＩＥＴＦのＲＦＣ３２６１（ＳＩＰ：Session Initiation Protocol ）であったり、ＩＴＵ−ＴのＨ．３２３（Packet-based multimedia communications systems）であったりと、様ざまなものが考えられる。
【００３２】
デジタル音声送受信制御部２３０は、インターネット１の他方にいる通話相手であるＩＰ電話装置からのＩＰパケット化されたデジタル音声をインターネット接続口２０２から引き取り、不要な制御ヘッダを取り除いたデジタル音声をＡＤ／ＤＡ変換制御部２５０に渡したり、ＡＤ／ＤＡ変換制御部２５０から受け取ったデジタル音声に制御ヘッダを付与してＩＰパケット化して、インターネット接続口２０２を経由してインターネット１の他方にいる通話相手であるＩＰ電話装置へ送信する。
【００３３】
アナログ音声送受信制御部２４０は、ＦＡＸ装置２０からのアナログ音声をアナログ電話接続口２０１を介して受信し受信したアナログ音声をＡＤ／ＤＡ変換制御部２５０に渡したり、ＡＤ／ＤＡ変換制御部２５０からアナログ音声を受け取り受け取ったアナログ音声を、アナログ電話接続口２０１を介してＦＡＸ装置２０に送信したりと、一連のアナログ音声の送受信処理を担う。
【００３４】
ＡＤ／ＤＡ変換制御部２５０は、デジタル音声送受信制御部２３０から受け取ったデジタル音声をデジタル−アナログ変換して、このアナログ音声をアナログ音声送受信制御部２４０に渡したり、アナログ音声送受信制御部２４０から受け取ったアナログ音声をアナログ−デジタル変換して、このデジタル音声をデジタル音声送受信制御部２３０に渡したりする。
【００３５】
音声種別判定制御部２６０は、通話毎にアナログ音声送受信制御部２４０でやりとりされるアナログ音声を監視し、２１００Ｈｚを一定時間検出した場合は、ＦＡＸ通信等のデータ通信であると判断し、２１００Ｈｚを検出しない場合は、通常の音声通話であると判断し、その判断情報を記憶する。なお、ＦＡＸ等のデータ通信が行われているかどうかを判断する２１００Ｈｚのトーン信号の検出については、ＩＴＵ−Ｔ勧告Ｇ．１６８（Digital network echo cancellers ）にも記載されているものである。
【００３６】
加えて、音声種別判定制御部２６０は、デジタル音声送受信制御部２３０が受信したデジタル音声に欠落があると認識した時に、現在の通信の音声種別（ＦＡＸ等のデータ通信か通常の音声通話か）の問い合わせに対して応答する。デジタル音声送受信制御部２３０は、この情報を元に音声の補填の方法（無音を補填するか、ＰＬＣ等による音声を補填するか）を決定し実施する。
【００３７】
次に、図２のＩＰ電話装置２００の動作を詳細に説明する。先ず、ＩＰ電話装置２００がＩＰ電話を行ううえで必要な設定を行う。これは電話番号であったり、ＩＰ電話用のユーザＩＤ、パスワード等の設定である。ユーザは予めＰＣ３０やＦＡＸ装置２０を使用して、ＩＰ電話装置２００に対してこれらの設定を行う。ＰＣ３０やＦＡＸ装置２０から入力されたＩＰ電話に関する設定情報は、ＰＣケーブル３１やアナログ電話ケーブル２１を通り、ＰＣ接続口２０３、アナログ電話接続口２０１を経由して、ＩＰ電話設定制御部２１０に渡され設定される。ＩＰ電話装置２００はこれによりインターネット１上の相手とＩＰ電話を行うことが可能となる。
【００３８】
次に、ＩＰ電話を行うためのプロトコルであるが、ＩＥＴＦ勧告のＲＦＣ３２６１（ＳＩＰ：Session Initiation Protocol ）、ＩＴＵ−Ｔ勧告のＨ．３２３（Packet-based multimedia communications systems）等が挙げられるが、例として、図３にＩＰ電話装置がＳＩＰプロトコルを使用して通常に通話する場合のＳＩＰメッセージのシーケンスの一例を示す。
【００３９】
ＩＰ電話呼制御部２２０は、図３のような一連の呼シーケンス（発信、着信、切断等）を制御し、インターネット接続口２０２を通して、インターネット１側にいるＳＩＰサーバを経由し、インターネット１側にいる他方のＩＰ電話装置１００とメッセージの送受信を行う。呼接続までの動作及び呼切断の動作については、図３にて説明に代え、ＩＰ電話中の音声データ送受信動作や音声種別検出動作、受信音声欠落時の音声受信動作について詳細に説明する。なお、図３のシーケンスについては、周知であり、また本発明と特に関係ないので、その説明は省略する。
【００４０】
（１）ＩＰ電話装置２００の音声受信動作（受信音声欠落なし）：
図１のインターネット１側にいるＦＡＸ装置１０から送信されるアナログ音声データは、ＩＰ電話装置１００を通してデジタル音声データに変換され、インターネット１を経由してＩＰ電話装置２００に届けられる。ＦＡＸ装置１０から送信されたアナログ音声データは、デジタル音声データとなってＩＰ電話装置２００のインターネット接続口２０２に接続されたインターネット接続ケーブル１００１を通って、デジタル音声送受信制御部２３０に届く。
【００４１】
インターネットやＩＰネットワーク上を通過して到来するデジタル音声データは、一般的にはＩＥＴＦのＲＦＣ１８８９（RTP ：Real-time Transport Protocol）で示される形式で送受信される。図４にＲＴＰパケットのフォーマットの一例を示す。デジタル音声送受信制御部２３０は受信したＲＴＰパケット（デジタル音声データ）のヘッダデータのシーケンス番号を確認し正しい順番で相手からデジタル音声を受信したことを判断すると、ＲＴＰパケットのヘッダデータを取り除いたペイロード部分（デジタル音声のみの部分）をＡＤ／ＤＡ変換制御部２５０に渡す。
【００４２】
ＡＤ／ＤＡ変換制御部２５０は受け取ったデジタル音声をデジタル−アナログ変換してアナログ音声に変換した後、アナログ音声送受信制御部２４０に渡す。アナログ音声送受信制御部２４０は受け取ったアナログ音声を、アナログ電話接続口２０１から、アナログ電話ケーブル２１を経由してＦＡＸ装置２０へ送信する。
【００４３】
（２）ＩＰ電話装置２００の音声送信動作：
ＦＡＸ装置２０から送信されたアナログ音声データは、アナログ電話ケーブル２１を経由して、アナログ電話接続口２０１からアナログ音声送受信制御部２４０へ届けられる。アナログ音声送受信制御部２４０は受信したアナログ音声データをＡＤ／ＤＡ変換制御部２５０へ渡す。ＡＤ／ＤＡ変換制御部２５０は受信したアナログ音声データをアナログ−デジタル変換して、デジタル音声に変換後デジタル音声送受信制御部２３０へ渡す。
【００４４】
デジタル音声送受信制御部２３０は、受け取ったデジタル音声にＲＴＰパケットとして必要なシーケンス番号やタイムスタンプ等々のヘッダデータ（図４参照）を付与して、ＲＴＰパケットを生成し、インターネット接続口２０２からインターネット接続ケーブル１１を通してインターネット１へ送信する。送信されたＲＴＰパケットは図１のインターネット１側にいるＦＡＸ装置１０へ届けられる。
【００４５】
（３）ＩＰ電話装置２００の音声種別検出動作：
ＩＰ電話中にアナログ音声の送受信を行っているアナログ音声送受信制御部２４０を監視しているのが、音声種別判定制御部２６０である。音声種別判定制御部２６０は、ＩＰ電話開始時に、自己が保持する音声種別データ（音声通話／ＦＡＸ等のデータ通信）を「音声通話」に初期化し、アナログ音声送受信制御部２４０のアナログ音声送信データとアナログ音声受信データを監視する。
【００４６】
ＩＴＵ−Ｔ勧告のＧ．１６８（Digital network echo cancellers ）にも記載されている通り、２１００Ｈｚの信号を監視し一定時間２１００Ｈｚの信号を検出した場合には、ＦＡＸ等のデータ通信が行われていると判断して、音声種別データを「ＦＡＸ等のデータ通信」に書き換える。デジタル音声送受信制御部２３０から音声種別の問い合わせがあった場合に、音声種別判定制御部２６０は、自己が保持する音声種別データを応答する。
【００４７】
（４）ＩＰ電話装置２００の音声受信動作（受信音声欠落あり）：
この場合の動作は、図５のフローチャートに従って行われる。図１のインターネット１側にいるＦＡＸ装置１０から送信されるアナログ音声データは、ＩＰ電話装置１００を通してデジタル音声データに変換されインターネット１を経由してＩＰ電話装置２００に届けられる。ＦＡＸ装置１０から送信されたアナログ音声データは、デジタル音声データとなってＩＰ電話装置２００のインターネット接続口２０２に接続されたインターネット接続ケーブル１１を通って、デジタル音声送受信制御部２３０に届く。
【００４８】
インターネットやＩＰネットワーク上を通過して到来するデジタル音声データは、一般的には図４で示されるＲＴＰパケット形式で送受信される。デジタル音声送受信制御部２３０は受信したＲＴＰパケット（デジタル音声データ）のヘッダデータのシーケンス番号が、次に受信すべきシーケンス番号でなかったり、ＲＴＰパケットを受信しなかったりした場合には、相手からの音声データが欠落したと判断する（ステップＳ１のＹＥＳ）。デジタル音声送受信制御部２３０は音声種別判定制御部２６０に対して現在の通話の音声種別を問い合わせる（ステップＳ２）。音声種別により以下の２通りの動作を行う。
【００４９】
（ａ）音声種別判定制御部２６０の応答が「音声通話」である場合（ステップＳ３の音声）：
デジタル音声送受信制御部２３０は通常の音声通話であることを認識して、ＩＴＵ−Ｔ勧告のＧ．７１１（Pulse code modulation (PCM) of voice frequencies）に記載されたＰＬＣ（Packet Loss Concealment)（直前に再生した音声データを一定量減衰させて消失した音声データの代わりにする）により、補填するデジタル音声データを生成したり、直前に使用したデジタル音声データを再度使用したりして、ＡＤ／ＤＡ変換制御部２５０へデジタル音声データを渡す（ステップＳ４）。
【００５０】
ＡＤ／ＤＡ変換制御部２５０は受け取ったデジタル音声をデジタル−アナログ変換してアナログ音声にした後、アナログ音声送受信制御部２４０に渡す。アナログ音声送受信制御部２４０は受け取ったアナログ音声をアナログ電話接続口２０１からアナログ電話ケーブル２１を経由してＦＡＸ装置２０へ送信する。
【００５１】
（ｂ）音声種別判定制御部２６０の応答が「ＦＡＸ等のデータ通信」である場合（ステップＳ３のデータ）：
デジタル音声送受信制御部２３０はＦＡＸ等のデータ通信であることを認識すると、無音のデジタル音声データを生成して、ＡＤ／ＤＡ変換制御部２５０へ無音のデジタル音声データを渡す（ステップＳ５）。ＡＤ／ＤＡ変換制御部２５０は受け取った無音のデジタル音声をデジタル−アナログ変換して無音のアナログ音声にした後、アナログ音声送受信制御部２４０に渡す。アナログ音声送受信制御部２４０は受け取った無音のアナログ音声をアナログ電話接続口２０１からアナログ電話ケーブル２１を経由してＦＡＸ装置２０へ送信する。
【００５２】
なお、図５のステップＳ６は、上述した（１）〜（３）の通常動作をなすことは明白である。また、図５の動作は、予めプログラムとしてＲＯＭなどの記録媒体に動作手順を格納しておき、これをコンピュータにより読み取らせて実行させるように構成できることは明白である。
【００５３】
本発明の他の実施例として、通信を行う装置がアナログのデータモデムの場合が挙げられる。その基本的構成はＦＡＸ通信時の構成と全く同じであり、図１のＦＡＸ装置１０及び２０を、共にアナログデータモデム装置に置き換え、同様に図２のＦＡＸ装置２０をアナログデータモデム装置に置き換えることにより実現が可能である。上記の通りの置き換えを行うのみで動作は全く同じであるために、その説明は省略する。なお、ＩＴＵ−Ｔ勧告のＧ．１６８（Digital network echo cancellers ）にも記載されている２１００Ｈｚのトーンの検出は、アナログのデータモデム装置でも利用が可能である。
【図面の簡単な説明】
【００５４】
【図１】本発明の実施例が適用されるシステム構成図である。
【図２】本発明の実施例のＩＰ電話装置の機能ブロック図である。
【図３】ＩＰ電話装置相互間の通信手順を示す周知のシーケンス図である。
【図４】ＩＰ電話装置相互間の通信におけるパケットフォーマットの例を示す図である。
【図５】本発明の実施例の動作を示すフローチャートである。
【符号の説明】
【００５５】
１  インターネット
１０，２０  ＦＡＸ装置
１００，２００  ＩＰ電話装置
２０１  アナログ電話口
２０２  インターネット接続口
２０３  ＰＣ接続口
２１０  ＩＰ電話設定制御部
２２０  ＩＰ電話呼制御部
２３０  デジタル音声送受信制御部
２４０  アナログ音声送受信制御部
２５０  ＡＤ／ＤＡ変換制御部
２６０  音声種別判定制御部
【図１】
2007336114.tif 000003
【図２】
2007336114.tif 000004
【図３】
2007336114.tif 000005
【図４】
2007336114.tif 000006
【図５】
2007336114.tif 000007